(57)【要約】【課題】  同じ種類のオブジェクトでも、オブジェクト毎にユーザーの好みで、色変換テーブルを切り換えられるようにすることを目的とする。【解決手段】  領域を指定する手段と、前記領域を指定する手段で指定された領域に色変換で使用する色変換テーブルを割り当てる手段と、前記領域を指定する手段で指定された領域を色変換する場合は前記色変換テーブルを割り当てる手段で割り当てられた色変換テーブルを用いて色変換する手段から構成される。【選択図】  図１
2007150571.tif 000002
【特許請求の範囲】
【請求項１】
領域を指定する手段と、前記領域を指定する手段で指定された領域に色変換で使用する色変換テーブルを割り当てる手段と、前記領域を指定する手段で指定された領域を色変換する場合は前記色変換テーブルを割り当てる手段で割り当てられた色変換テーブルを用いて色変換する手段から構成されることを特徴とする画像処理装置。
【請求項２】
オブジェクトを指定する手段と、前記オブジェクトを指定する手段で指定されたオブジェクトに色変換で使用する色変換テーブルを割り当てる手段と、前記オブジェクトを指定する手段で指定されたオブジェクトを色変換する場合は前記色変換テーブルを割り当てる手段で割り当てられた色変換テーブルを用いて色変換する手段から構成されることを特徴とする画像処理装置。
【発明の詳細な説明】
【技術分野】
【０００１】
本発明は、プリンタ等で行われる色変換処理に関するものである。
【背景技術】
【０００２】
プリンタ等で、文字、グラフィック、イメージ等のオブジェクトの種類毎に色変換に用いる色変換テーブルを切り換えて、オブジェクトの種類毎に色合いを変えて、印字品位を良くすることが行われている。
【０００３】
従来例としては、例えば特許文献１をあげることが出来る。
【特許文献１】特開２００４−２６６３９２号公報
【発明の開示】
【発明が解決しようとする課題】
【０００４】
しかしながら、ユーザーが同じ種類のオブジェクトでもオブジェクト毎に色合いを変えたい場合に、変える事が出来ないという問題が有った。
【課題を解決するための手段】
【０００５】
上記問題に鑑みて、本発明は、領域を指定する手段と、前記領域を指定する手段で指定された領域に色変換で使用する色変換テーブルを割り当てる手段と、前記領域を指定する手段で指定された領域を色変換する場合は前記色変換テーブルを割り当てる手段で割り当てられた色変換テーブルを用いて色変換する手段から構成される。
【発明の効果】
【０００６】
以上説明したように本発明によれば、同じ種類のオブジェクトでもユーザーの好みによって、色合いを変える事が出来るという効果を有する。
【発明を実施するための最良の形態】
【０００７】
（実施例１）
図１は、本発明の第１の実施例のブロック図である。１は領域を指定するところの領域指定部で、２は色変換テーブルを指定するところの色変換テーブル指定部で、３は領域に色変換テーブルを割り当てるところの領域―色変換テーブル割り当て部で、４はオブジェクトデータを記憶するところのオブジェクトデータ記憶部で、５は領域と色変換テーブルの割り当て情報を記憶するところの領域―色変換テーブル割り当て記憶部で、６は色変換を行うところの色変換部で、７は色変換テーブルを選択するところの色変換テーブル選択部で、８は色変換後のオブジェクトデータを記憶するところの色変換後オブジェクトデータ記憶部である。
【０００８】
次に図１の動作説明を行う。領域指定部１において、領域指定を行いその領域情報を領域―色変換テーブル割り当て部３へ送る。領域指定は、液晶パネル等の画面に印字画像を表示させ、マウス、タッチパネル等のポインティングデバイスで行う。領域指定後その領域のオブジェクトの色変換に使用したい色変換テーブルを指定する為に色変換テーブル指定部２において、色変換テーブルを指定する。これは、キー入力又は、タッチパネル等で行う。入力後その色変換テーブルのＩＤを領域―色変換テーブル割り当て部３に送る。領域―色変換テーブル割り当て部３は、送られた領域情報と色変換テーブルＩＤの対応付けを行い、対応情報を領域―色変換テーブル割り当て記憶部５に送る。本実施例では、領域指定部１、色変換テーブル指定部２及び領域―色変換テーブル割り当て部３は、プリンタ本体に有るものとしているが、領域と色変換テーブルの割り当てをパーソナルコンピュータ等のプリンタのドライバで行い、領域―色変換テーブルの割り当て情報をプリンタ本体にＵＳＢ、ＬＡＮ等の通信媒介を使用して送ることでも実現可能である。この場合、領域指定部１、色変換テーブル指定部２及び領域―色変換テーブル割り当て部３は、パーソナルコンピュータに有ることになる。領域―色変換テーブル割り当て記憶部５は、送られてきた領域―色変換テーブルの割り当て情報を記憶する。領域と色変換テーブルの割り当てが終了すると、色変換部６は、オブジェクトデータ記憶部４からオブジェクトデータを読み出す。図示していないが、オブジェクトデータ記憶部４には、オブジェクトデータの位置情報も記憶されており、色変換部６は、オブジェクトデータ記憶部４からオブジェクトデータの位置情報も読み出す。その位置情報を基に、領域―色変換テーブル割り当て記憶部５を参照して、色変換するオブジェクトが、どの領域に属しているかを調べて、属している領域に割り当てられた色変換テーブルを色変換テーブル選択部７に選択するように指示を出す。その指示を受けると、色変換テーブル選択部７は、指示された色変換テーブルのデータを色変換部６へ送る。色変換部６は、送られた色変換テーブルデータを基にオブジェクトデータの色変換を行う。色変換されたオブジェクトデータは、色変換後オブジェクトデータ記憶部８に送られ、記憶される。これをすべてのオブジェクトに対して行い、色変換を行う。
【０００９】
（実施例２）
図２は、本発明の第２の実施例のブロック図である。９はオブジェクトを指定するところのオブジェクト指定部で、１０は色変換テーブルを指定するところの色変換テーブル指定部で、１１はオブジェクトに色変換テーブルを割り当てるところのオブジェクト―色変換テーブル割り当て部で、１２はオブジェクトデータを記憶するところのオブジェクトデータ記憶部で、１３はオブジェクトに色変換テーブルを割り当てた後にオブジェクトデータを記憶するところの色変換テーブル割り当て後オブジェクトデータ記憶部で、１４は色変換を行うところの色変換部で、１５は色変換テーブルを選択するところの色変換テーブル選択部で、１６は色変換後のオブジェクトデータを記憶するところの色変換後オブジェクトデータ記憶部である。
【００１０】
次に図２の動作説明を行う。オブジェクト指定部９において、オブジェクト指定を行いそのオブジェクトのＩＤをオブジェクト―色変換テーブル割り当て部１１へ送る。オブジェクト指定は、液晶パネル等の画面に各オブジェクトを表示させ、マウス、タッチパネル等のポインティングデバイスで選択することで行う。オブジェクト指定後そのオブジェクトの色変換に使用したい色変換テーブルを指定する為に色変換テーブル指定部１０において、色変換テーブルを指定する。これは、キー入力又は、タッチパネル等で行う。入力後その色変換テーブルのＩＤをオブジェクト―色変換テーブル割り当て部１１に送る。オブジェクト―色変換テーブル割り当て部１１は、送られたオブジェクトＩＤと色変換テーブルＩＤの対応付けを行い、そのオブジェクトＩＤに対応するオブジェクトデータをオブジェクトデータ記憶部１２から読み出し、対応する色変換テーブルのＩＤを付加して、色変換テーブル割り当て後オブジェクトデータ記憶部１３に送り、記憶される。色変換部１４は、色変換テーブル割り当て後オブジェクトデータ記憶部１３より、オブジェクトデータとそれに割り当てられた色変換テーブルのＩＤを読み出して、そのＩＤに対応する色変換テーブルを色変換テーブル選択部１５に選択させ、対応する色変換テーブルデータを読み出して、そのオブジェクトデータの色変換を行う。色変換されたオブジェクトデータは、色変換後オブジェクトデータ記憶部１６で記憶される。
【図面の簡単な説明】
【００１１】
【図１】第１の実施例のブロック図
【図２】第２の実施例のブロック図
【符号の説明】
【００１２】
１  領域指定部
２  色変換テーブル指定部
３  領域―色変換テーブル割り当て部
４  オブジェクトデータ記憶部
５  領域―色変換テーブル割り当て記憶部
６  色変換部
７  色変換テーブル選択部
８  色変換後オブジェクトデータ記憶部
９  オブジェクト指定部
１０  色変換テーブル指定部
１１  オブジェクト―色変換テーブル割り当て部
１２  オブジェクトデータ記憶部
１３  色変換テーブル割り当て後オブジェクトデータ記憶部
１４  色変換部
１５  色変換テーブル選択部
１６  色変換後オブジェクトデータ記憶部
【図１】
2007150571.tif 000003
【図２】
2007150571.tif 000004